【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
熱分解セクション内のガス中の酸素濃度を感知するように設置された酸素センサを利用して、酸素濃度に対応する電気信号を発生させるステップ；
前記熱分解セクション内のガスの温度を感知するように設置された温度センサを利用して、温度に対応する電気信号を発生させるステップ；および
前記両方の電気信号とＰＳＯ（化学量論的酸化剤パーセント）との間の数学的関係を用いて、前記酸素センサと前記温度センサからの前記両方の電気信号をＰＳＯ推定値に変換するプロセッサに、前記電気信号を伝えるステップ
を含み、
前記数学的関係は、１１００°Ｆより高い温度および温度変動による前記ＰＳＯ推定値の調節を含む、焼却炉の熱分解セクションにおけるＰＳＯを決定する方法。
【請求項２】
前記酸素センサが、ジルコニア系酸素センサ、電気化学センサ、マイクロ燃料センサおよび常磁性センサからなる群から選択される請求項１に記載の方法。
【請求項３】
前記酸素センサがジルコニア系酸素センサである請求項１に記載の方法。
【請求項４】
前記温度センサが、熱電対、抵抗温度検出器、高温計および遠隔温度検出装置からなる群から選択される請求項１に記載の方法。
【請求項５】
前記温度センサが熱電対である請求項１に記載の方法。
【請求項６】
前記数学的関係が、
ＰＳＯ＝ａ＋ｂ／［１＋（（ｘ＋ｅＴ）／ｃ）ｄ］
（ｘは酸素センサ出力（ミリボルト）であり、Ｔは温度（°Ｆ）であり、ａからｅは実験定数である）
である請求項１に記載の方法。
【請求項７】
前記酸素センサがジルコニア系酸素センサであり、実験定数が、
ａ＝−７３３．１０９；ｂ＝８７３．２４６；ｃ＝１６１０．４０３；ｄ＝１５．１７６；ｅ＝０．２４３９
である請求項６に記載の方法。
【請求項８】
前記数学的関係が、
ＰＳＯ＝［ａ＋ｂ（ｘ＋ｅＴ）＋ｃ（ｘ＋ｅＴ）２＋ｄ（ｘ＋ｅＴ）３］×１００
（ｘは酸素センサ出力（ミリボルト）であり、Ｔは（Ｔｆ−２１００）に等しく、Ｔｆは温度（°Ｆ）であり、ａからｅは実験定数である）
である請求項１に記載の方法。
【請求項９】
前記酸素センサがジルコニア系酸素センサであり、実験定数が、
ａ＝３．４２４；ｂ＝−１．３４３３Ｅ−０２；ｃ＝２．４９７９Ｅ−０５；ｄ＝−１．５６７０Ｅ−０８；ｅ＝０．２４３９
である請求項８に記載の方法。
【請求項１０】
熱分解セクション内のガス中の酸素濃度に対応する電気信号を発生させるステップ；
前記熱分解セクション内のガスの温度に対応する電気信号を発生させるステップ；
前記両方の電気信号とＰＳＯ（化学量論的酸化剤パーセント）との間の数学的関係を用いて前記電気信号をＰＳＯ推定値に変換するプロセッサに、酸素濃度と温度に対応する前記両方の電気信号を伝えるステップ；
燃焼空気、酸化剤および燃料の流量からなる群から選択されるプロセス流量を、前記ＰＳＯ推定値、設定ＰＳＯ値およびプロセス流に基づいて調節するための流れ制御信号を発生するフィードバックコントローラに、前記ＰＳＯ推定値を中継するステップ；および
前記流れ制御信号を、対応する流れ制御装置に中継するステップ
を含み、
前記数学的関係は、１１００°Ｆより高い温度および温度変動による前記ＰＳＯ推定値の調節を含む、焼却炉の熱分解セクションにおけるＰＳＯを制御する方法。
【請求項１１】
前記酸素濃度に対応する前記電気信号が、ジルコニア系酸素センサ、電気化学センサ、マイクロ燃料サンサおよび常磁性センサからなる群から選択され、前記熱分解セクション内のガス中に設置された酸素センサにより発生する請求項１０に記載の方法。
【請求項１２】
前記酸素センサがジルコニア系酸素センサである請求項１０に記載の方法。
【請求項１３】
前記温度に対応する前記電気信号が、熱電対、抵抗温度検出器、高温計および遠隔温度検出装置からなる群から選択され、前記熱分解セクション内のガスの温度を感知するように設置された温度センサにより発生する請求項１０に記載の方法。
【請求項１４】
前記温度センサが熱電対である請求項１０に記載の方法。
【請求項１５】
前記数学的関係が、
ＰＳＯ＝ａ＋ｂ／［１＋（（ｘ＋ｅＴ）／ｃ）ｄ］
（ｘは酸素センサ出力（ミリボルト）であり、Ｔは温度（°Ｆ）であり、ａからｅは実験定数である）
である請求項１０に記載の方法。
【請求項１６】
前記酸素センサがジルコニア系酸素センサであり、実験定数が、
ａ＝−７３３．１０９；ｂ＝８７３．２４６；ｃ＝１６１０．４０３；ｄ＝１５．１７６；ｅ＝０．２４３９
である請求項１５に記載の方法。
【請求項１７】
前記数学的関係が、
ＰＳＯ＝［ａ＋ｂ（ｘ＋ｅＴ）＋ｃ（ｘ＋ｅＴ）２＋ｄ（ｘ＋ｅＴ）３］×１００
（ｘは酸素センサ出力（ミリボルト）であり、Ｔは（Ｔｆ−２１００）に等しく、Ｔｆは温度（°Ｆ）であり、ａからｅは実験定数である）
である請求項１０に記載の方法。
【請求項１８】
前記酸素センサがジルコニア系酸素センサであり、実験定数が、
ａ＝３．４２４；ｂ＝−１．３４３３Ｅ−０２；ｃ＝２．４９７９Ｅ−０５；ｄ＝−１．５６７０Ｅ−０８；ｅ＝０．２４３９
である請求項１７に記載の方法。
【請求項１９】
熱分解セクション内のガス中の酸素濃度に対応する電気信号を発生する手段；
前記熱分解セクション内のガスの温度に対応する電気信号を発生する手段；および
前記両方の電気信号とＰＳＯ（化学量論的酸化剤パーセント）との間の数学的関係を用いて、酸素分圧および温度に対応する前記電気信号を、ＰＳＯ推定値に変換する装置
を備え、
前記数学的関係は、１１００°Ｆより高い温度および温度変動による前記ＰＳＯ推定値の調節を含む、焼却炉の熱分解セクションにおけるＰＳＯを決定するシステム。
【請求項２０】
前記酸素濃度に対応する前記電気信号が、ジルコニア系酸素センサ、電気化学センサ、マイクロ燃料サンサおよび常磁性センサからなる群から選択され、前記熱分解セクション内のガス中に設置された酸素センサにより発生する請求項１９に記載のシステム。
【請求項２１】
前記酸素センサがジルコニア系酸素センサである請求項１９に記載のシステム。
【請求項２２】
前記温度に対応する前記電気信号が、熱電対、抵抗温度検出器、高温計および遠隔温度検出装置からなる群から選択され、前記熱分解セクション内のガスの温度を感知するように設置された温度センサにより発生する請求項１９に記載のシステム。
【請求項２３】
前記温度センサが熱電対である請求項１９に記載のシステム。
【請求項２４】
前記数学的関係が、
ＰＳＯ＝ａ＋ｂ／［１＋（（ｘ＋ｅＴ）／ｃ）ｄ］
（ｘは酸素センサ出力（ミリボルト）であり、Ｔは温度（°Ｆ）であり、ａからｅは実験定数である）
である請求項１９に記載のシステム。
【請求項２５】
前記酸素センサがジルコニア系酸素センサであり、実験定数が、
ａ＝−７３３．１０９；ｂ＝８７３．２４６；ｃ＝１６１０．４０３；ｄ＝１５．１７６；ｅ＝０．２４３９
である請求項２４に記載のシステム。
【請求項２６】
前記数学的関係が、
ＰＳＯ＝［ａ＋ｂ（ｘ＋ｅＴ）＋ｃ（ｘ＋ｅＴ）２＋ｄ（ｘ＋ｅＴ）３］×１００
（ｘは酸素センサ出力（ミリボルト）であり、Ｔは（Ｔｆ−２１００）に等しく、Ｔｆは温度（°Ｆ）であり、ａからｅは実験定数である）
である請求項１９に記載のシステム。
【請求項２７】
前記酸素センサがジルコニア系酸素センサであり、実験定数が、
ａ＝３．４２４；ｂ＝−１．３４３３Ｅ−０２；ｃ＝２．４９７９Ｅ−０５；ｄ＝−１．５６７０Ｅ−０８；ｅ＝０．２４３９
である請求項２６に記載のシステム。
【請求項２８】
焼却炉の熱分解セクション内のガス中の酸素濃度に対応する電気信号を発生する手段；
前記熱分解セクション内のガスの温度に対応する電気信号を発生する手段；
前記両方の電気信号とＰＳＯ（化学量論的酸化剤パーセント）との間の数学的関係を用いて、酸素濃度および温度に対応する前記両方の電気信号を、ＰＳＯ推定値に変換する装置；
燃焼空気、酸化剤および燃料の流量からなる群から選択されるプロセス流量を、前記ＰＳＯ推定値、設定ＰＳＯ値およびプロセス流に基づいて調節するための流れ制御信号を発生する手段；および
前記制御信号に対応して前記プロセス流量を調節する装置
を備え、
前記数学的関係は、１１００°Ｆより高い温度および温度変動による前記ＰＳＯ推定値の調節を含む、焼却炉の運転を制御するシステム。
【請求項２９】
前記酸素濃度に対応する前記電気信号が、ジルコニア系酸素センサ、電気化学センサ、マイクロ燃料サンサおよび常磁性センサからなる群から選択され、前記熱分解セクション内のガス中に設置された酸素センサにより発生する請求項２８に記載のシステム。
【請求項３０】
前記酸素センサがジルコニア系酸素センサである請求項２８に記載のシステム。
【請求項３１】
前記温度に対応する前記電気信号が、熱電対、抵抗温度検出器、高温計および遠隔温度検出装置からなる群から選択され、前記熱分解セクション内のガスの温度を感知するように設置された温度センサにより発生する請求項２８に記載のシステム。
【請求項３２】
前記温度センサが熱電対である請求項２８に記載のシステム。
【請求項３３】
前記数学的関係が、
ＰＳＯ＝ａ＋ｂ／［１＋（（ｘ＋ｅＴ）／ｃ）ｄ］
（ｘは酸素センサ出力（ミリボルト）であり、Ｔは温度（°Ｆ）であり、ａからｅは実験定数である）
である請求項２８に記載のシステム。
【請求項３４】
前記酸素センサがジルコニア系酸素センサであり、実験定数が、
ａ＝−７３３．１０９；ｂ＝８７３．２４６；ｃ＝１６１０．４０３；ｄ＝１５．１７６；ｅ＝０．２４３９
である請求項３３に記載のシステム。
【請求項３５】
前記数学的関係が、
ＰＳＯ＝［ａ＋ｂ（ｘ＋ｅＴ）＋ｃ（ｘ＋ｅＴ）２＋ｄ（ｘ＋ｅＴ）３］×１００
（ｘは酸素センサ出力（ミリボルト）であり、Ｔは（Ｔｆ−２１００）に等しく、Ｔｆは温度（°Ｆ）であり、ａからｅは実験定数である）
である請求項２８に記載のシステム。
【請求項３６】
前記酸素センサがジルコニア系酸素センサであり、実験定数が、
ａ＝３．４２４；ｂ＝−１．３４３３Ｅ−０２；ｃ＝２．４９７９Ｅ−０５；ｄ＝−１．５６７０Ｅ−０８；ｅ＝０．２４３９
である請求項３５に記載のシステム。